(57)【要約】  試し再生指令がなされると、チューナユニット１２０から出力されたデータＶＤ１が、エンコーダユニット１３１において、試し再生設定指令で指定された記録形式の記録用データＲＣＤに変換される。引き続き、スイッチ回路１３６を介した記録用データＲＣＤが、デコード回路１３７において、再生用データＶＤ２に変換される。そして、再生用データＶＤ２に基づく映像及び音声が、表示装置において表示及び出力される。このため、ＤＶＤへの記録に先立って、ＤＶＤに記録された後に再生されたとしたならば得られる画質や音質の確認を、ＤＶＤに試しに記録することなく行うことができる。この結果、利用者の利便性を向上することができる新たな視聴覚情報記録装置を提供することができる。
2007080778.tif 000002
【特許請求の範囲】
【請求項１】
取得された視聴覚情報を、記録媒体に記録すべき記録形式を有する記録用視聴覚情報に変換するとともに、前記記録媒体から読み出された前記記録用視聴覚情報から生成された再生用視聴覚情報と推定される推定再生用視聴覚情報に変換する情報変換手段と；
前記記録用視聴覚情報を記録媒体に記録するとともに、前記記録媒体から前記記録用視聴覚情報を読み出す記録媒体アクセス手段と；
前記再生用視聴覚情報及び前記推定再生用視聴覚情報のいずれか一方を選択的に視聴覚再生装置へ向けて出力する第１情報選択手段と；を備えることを特徴とする視聴覚情報記録装置。
【請求項２】
前記取得された視聴覚情報、前記記録用視聴覚情報及び前記再生用視聴覚情報はデジタル形式情報であり、
前記推定再生用視聴覚情報は前記再生用視聴覚情報と一致する、ことを特徴とする請求項１に記載の視聴覚情報記録装置。
【請求項３】
前記情報変換手段は、
前記取得された視聴覚情報を前記記録用視聴覚情報に変換する情報形式変換手段と；
前記情報形式変換手段から出力された前記記録用視聴覚情報から前記推定再生用視聴覚情報を生成する推定情報生成手段と；を備えることを特徴とする請求項２に記載の視聴覚情報記録装置。
【請求項４】
前記取得された視聴覚情報、前記記録用視聴覚情報及び前記再生用視聴覚情報はアナログ形式情報であり、
前記推定再生用視聴覚情報は、予め評価された前記記録媒体への記録に由来する前記再生用視聴覚情報における質の劣化が反映される、ことを特徴とする請求項１に記載の視聴覚情報記録装置。
【請求項５】
前記情報変換手段は、
前記取得された視聴覚情報を前記記録用視聴覚情報に変換する情報形式変換手段と；
前記取得された視聴覚情報から前記推定再生用視聴覚情報を生成する推定情報生成手段と；を備えることを特徴とする請求項４に記載の視聴覚情報記録装置。
【請求項６】
前記第１情報選択手段により選択された情報及び前記取得された視聴覚情報のいずれか一方を選択的に視聴覚再生装置へ向けて出力する第２情報選択手段を更に備える、ことを特徴とする請求項１〜５のいずれか一項に記載の視聴覚情報記録装置。
【請求項７】
取得された視聴覚情報を記録媒体に記録すべき記録形式を有する記録用視聴覚情報に変換して前記記録媒体に記録した後に、前記記録媒体から読み出された前記記録用視聴覚情報から生成される再生用視聴覚情報と推定される推定再生用視聴覚情報に前記取得された視聴覚情報を変換する推定情報変換工程と；
前記推定再生用視聴覚情報を視聴覚再生装置に供給して再生する試再生工程と；
前記試再生工程における再生の結果に基づいて前記記録形式で前記記録媒体に記録すべき指令がなされた場合に、その後に取得された視聴覚情報を前記記録形式で前記記録媒体に記録する記録工程と；を備えることを特徴とする視聴覚情報記録方法。
【発明の詳細な説明】
【技術分野】
【０００１】
本発明は、視聴覚情報記録装置及び視聴覚情報記録方法に関する。
【背景技術】
【０００２】
従来から、テレビ方法信号に含まれる映像情報や音声情報等の視聴覚情報を記録するＤＶＤ（Digital Versatile Disk）レコーダ装置やビデオテープレコーダ装置等の視聴覚情報記録装置が広く普及している。こうした視聴覚情報記録装置では、視聴覚情報がデジタル形式の場合にはデジタル形式で視聴覚情報を記録する。一方、視聴覚情報がアナログ形式の場合にはアナログ形式で視聴覚情報を記録する。【０００３】
かかる視聴覚情報記録装置では、記録媒体への記録時には、利用者が選択したデータ圧縮方式で記録をすることができるようになっている。そして、再生時には、データ伸張を行って、デレビ受像機等の再生用装置へ向けて、視聴覚情報を出力するようになっている（特許文献１等参照；以下、「従来例」と呼ぶ）。【０００４】
【特許文献１】特開２００２−８４４７９号公報
【発明の開示】
【発明が解決しようとする課題】
【０００５】
従来例の技術では、視聴覚情報をデータ圧縮して記録できるため、所定容量の記録媒体に多くの種類の視聴覚情報を記録できたり、長時間の原視聴覚情報を比較的小容量の記録媒体に記録できたりする。しかしながら、原視聴覚情報をデータ圧縮して記録したものを、その後に伸張した場合には、完全に原視聴覚情報を再現できる訳ではない。こうした原情報と再現情報の相違の度合いは、データ圧縮率が高くなるほど、大きくなる。【０００６】
したがって、特定のデータ圧縮率で視聴覚情報を記録した場合、その再生時に、利用者の満足する質の画像や音が得られるとは限らなかった。このため、記録された情報を再生した結果として利用者の満足する質の画像や音を確実に得るためには、記録しようとする視聴覚情報と同等の視聴覚情報を、試しに特定のデータ圧縮率で記録して再生し、利用者の満足する質の画像や音が得られるか否かを確認することが必要であった。【０００７】
かかる試しの記録及び再生を行うことは、利用者にとって手間となっていた。また、記録媒体が記録、読出し及び消去が可能な、いわゆるＲＷ（Read and Write）タイプである場合には、試しの記録に使用した領域を消去する等の手間が発生する。一方、使用する記録媒体が、一度記憶した領域には再度新たな記録しかできない、いわゆるＲ（Read）タイプである場合には、試しの記録に使用した領域は全く無駄となってしまう。こうした利用者の手間の発生や記憶領域の無駄な使用を防止することが、本発明が解決しようとする課題の一つとして挙げられる。【０００８】
本発明は、上記の事情を鑑みてなされたものであり、利用者の利便性を向上することができる新たな視聴覚情報記録装置及び視聴覚情報記録方法を提供することを目的とする。
【課題を解決するための手段】
【０００９】
本発明は、第１の観点からすると、取得された視聴覚情報を、記録媒体に記録すべき記録形式を有する記録用視聴覚情報に変換するとともに、前記記録媒体から読み出された前記記録用視聴覚情報から生成された再生用視聴覚情報と同等と推定される推定再生用視聴覚情報に変換する情報変換手段と；前記記録用視聴覚情報を記録媒体に記録するとともに、前記記録媒体から変換視聴覚情報を読み出す記録媒体アクセス手段と；前記再生用視聴覚情報及び前記推定再生用視聴覚情報のいずれか一方を選択的に視聴覚再生装置へ向けて出力する第１情報選択手段と；を備えることを特徴とする視聴覚情報記録装置である。【００１０】
本発明は、第２の観点からすると、取得された視聴覚情報を記録媒体に記録すべき記録形式を有する記録用視聴覚情報に変換して前記記録媒体に記録した後に、前記記録媒体から読み出された前記記録用視聴覚情報から生成される再生用視聴覚情報と推定される推定再生用視聴覚情報に前記取得された視聴覚情報を変換する推定情報変換工程と；前記推定再生用視聴覚情報を視聴覚再生装置に供給して再生する試再生工程と；前記試再生工程における再生の結果に基づいて前記記録形式で前記記録媒体に記録すべき指令がなされた場合に、その後に取得された視聴覚情報を前記記録形式で前記記録媒体に記録する記録工程と；を備えることを特徴とする視聴覚情報記録方法である。
【図面の簡単な説明】
【００１１】
【図１】本発明の第１実施形態に係るＤＶＤレコーダ装置の構成を概略的に示すブロック図である。
【図２】図１の記録再生処理ユニットの構成を説明するためのブロック図である。
【図３】図１の装置による記録の手順を説明するためのフローチャートである。
【図４】本発明の第２実施形態に係るビデオテープレコーダ装置の構成を概略的に示すブロック図である。
【図５】図４の記録再生処理ユニットの構成を説明するためのブロック図である。
【図６】図５の再生評価ユニットの構成を説明するためのブロック図である。
【図７】図４の装置による記録の手順を説明するためのフローチャートである。
【発明を実施するための最良の形態】
【００１２】
以下、本発明の実施形態について説明する。なお、以下の説明においては、同一又は同等の要素には同一符号を付し、重複する説明を省略する。
［第１実施形態］
まず、本発明の第１実施形態について、図１〜図３を参照しつつ説明する。なお、本実施形態では、視聴覚情報記録装置として、デジタルテレビ放送信号に含まれている視聴覚情報を記録するＤＶＤレコーダ装置を例示して説明する。【００１３】
＜構成＞
図１には、本実施形態に係るＤＶＤレコーダ装置１００の概略的な構成が、ブロック図にて示されている。図１に示されるように、ＤＶＤレコーダ装置１００は、制御ユニット１１０と、チューナユニット１２０と、情報変換手段及び第１情報選択手段としての記録再生処理ユニット１３０とを備えている。また、ＤＶＤレコーダ装置１００は、記録媒体アクセス手段としてのＤＶＤドライブユニット１４０と、第２情報選択手段としての表示選択ユニット１５０と、操作入力ユニット１６０とを備えている。【００１４】
制御ユニット１１０は、ＤＶＤレコーダ装置１００の全体を統括制御する。この制御ユニット１１０は、中央処理装置（ＣＰＵ：Central Processing Unit）、読出専用メモリ（ＲＯＭ：Read Only Memory）、ランダムアクセスメモリ（ＲＡＭ：Random Access Memory）等を備えて構成され、様々なプログラムが実行されるようになっている。【００１５】
チューナユニット１２０は、制御ユニット１１０による制御の下で、アンテナ２２０で受信されたデジタル放送信号ＤＢＳに含まれる特定のチャンネルの放送内容をデジタル形式のデータＶＤ１として出力する。このチューナユニット１２０は、制御ユニット１１０からのチューナ制御指令ＣＨＣに従って、特定のチャンネルを選択するようになっている。【００１６】
記録再生処理ユニット１３０は、制御ユニット１１０による制御の下で、ＤＶＤドライブユニット１４０に装填されたＤＶＤ（ＤＶＤ−ＲＷ、ＤＶＤ−Ｒ等）２３０へのアクセスを行う。この記録再生処理ユニット１３０は、図２に示されるように、情報形式変換手段としてのエンコーダユニット１３１と、推定情報生成手段としても機能するデコーダユニット１３５とを備えている。【００１７】
エンコーダユニット１３１は、制御ユニット１１０からの記録形式の指定を含むエンコーダ制御指令ＥＮＣに従って、チューナユニット１２０からのデータＶＤ１を、制御ユニット１１０により指定された記録形式に変換する。そして、エンコーダユニット１３１は、変換後のデータを、記録用データＲＣＤとして、ＤＶＤドライブユニット１４０へ向けて出力する。なお、ＤＶＤ２３０の記録形式としては、ＸＰモード形式、ＳＰモード形式、ＬＰモード形式、ＥＰモード形式等がある。【００１８】
デコーダユニット１３５は、スイッチ回路１３６と、デコード回路１３７とを備えている。ここで、スイッチ回路１３６は、ＦＥＴ（Field Effect Transistor）等のスイッチ素子を備えて構成されている。このスイッチ回路１３６は、制御ユニット１１０からの選択指令ＳＣ２に従って、エンコーダユニット１３１からの記録用データＲＣＤ、及び、ＤＶＤドライブユニット１４０によりＤＶＤ２３０から読み取られた読取データＲＤＤのいずれか一方を、デコード回路１３７へ向けて出力する。【００１９】
デコーダユニット１３５は、制御ユニット１１０からのデコード制御指令ＤＣＣに従って、スイッチ回路１３６から出力されたデータを再生用形式のデータに変換する。そして、デコード回路１３７は、変換後のデータを、再生用データＶＤ２として、表示選択ユニット１５０へ送る。【００２０】
なお、上記のエンコーダ制御指令ＥＮＣ、選択指令ＳＣ２及びデコード制御指令ＤＣＣを総称する場合には、「記録再生制御指令ＤＲＣ」と記すものとする（図１参照）。【００２１】
図１に戻り、ＤＶＤドライブユニット１４０は、ＤＶＤ２３０を装填及び抜去可能となっており、制御ユニット１１０による制御の下で、装填されたＤＶＤ２３０へのデータの記録及び読み取りを行う。より具体的には、ＤＶＤドライブユニット１４０は、制御ユニット１１０からのドライブ制御指令ＤＶＣにより記録することが指定されると、記録再生処理ユニット１３０からの記録用データＲＣＤをＤＶＤ２３０に記録する。また、ＤＶＤドライブユニット１４０は、制御ユニット１１０からのドライブ制御指令ＤＶＣにより記録データの読取が指定されると、ＤＶＤ２３０からデータを読み取り、読取データＲＤＤとして、記録再生処理ユニット１３０へ送る。【００２２】
表示選択ユニット１５０は、制御ユニット１１０からの選択指令ＳＣ１に従って、チューナユニット１２０からのデータＶＤ１、及び、記録再生処理ユニット１３０からの再生用データＶＤ２のいずれかを選択する。そして、選択されたデータを表示装置２１０に適合する信号形式に変換して、表示用信号ＶＳとして、表示装置２１０へ送る。【００２３】
操作入力ユニット１６０は、ＤＶＤレコーダ装置１００の本体部に設けられたキー部、あるいはキー部を備えるリモート入力装置等により構成される。この操作入力ユニット１６０を利用者が操作することにより、ＤＶＤレコーダ装置１００の動作内容の設定が行われる。例えば、記録形式を指定した記録動作、読取再生動作、記録形式を指定した試し再生動作等設定を、利用者が操作入力ユニット１６０を利用して行う。こうした入力内容は、操作入力ユニット１６０から、動作設定指令ＯＳＩとして、制御ユニット１１０へ送られる。【００２４】
＜動作＞
次に、上記のように構成されたＤＶＤレコーダ装置１００の動作を、デジタルテレビ放送の内容のＤＶＤ２３０への記録動作に主に着目して説明する。なお、前提として、ＤＶＤ２３０は、ＤＶＤドライブユニット１４０に装着されているものとする。また、表示選択ユニット１５０においては、チューナユニット１２０からのデータＶＤ１が選択されており、表示装置２１０には、データＶＤ１に基づく映像及び音声が、表示及び出力されているものとする。また、ＤＶＤドライブユニット１４０は、記録動作も読取動作も行っていないものとする。【００２５】
デジタルテレビ放送の内容のＤＶＤ２３０への記録に際して、利用者が、再生画質の観点から、どのような記録形式でＤＶＤ２３０へ記録すればよいか判断がつかない場合には、ステップＳ１１において、利用者が、操作入力ユニット１６０を利用して、試し再生設定を行う。この試し再生設定に際しては、利用者は、試し再生である旨及び記録形式候補（例えば、ＥＰモード形式）を指定する。こうした指定内容は、試し再生設定指令として、操作入力ユニット１６０から制御ユニット１１０へ送られる。【００２６】
試し再生設定指令を受けた制御ユニット１１０は、試し再生設定指令で指定された記録形式を含むエンコーダ制御指令ＥＮＣをエンコーダユニット１３１へ通知する。また、制御ユニット１１０は、記録用データＲＣＤを選択すべきことを、選択指令ＳＣ２を用いてスイッチ回路１３６へ通知する。さらに、制御ユニット１１０は再生用データＶＤ２を選択すべきことを、選択指令ＳＣ１を用いて表示選択ユニット１５０へ通知する。【００２７】
以上の試し再生設定が終了すると、ステップＳ１２において、試し再生が行われる。すなわち、チューナユニット１２０から出力されたデータＶＤ１が、エンコーダユニット１３１において、試し再生設定指令で指定された記録形式の記録用データＲＣＤに変換される。引き続き、スイッチ回路１３６を介した記録用データＲＣＤが、デコード回路１３７において、再生用データＶＤ２に変換される。そして、再生用データＶＤ２に基づく映像及び音声が、表示装置２１０において、表示及び出力される。【００２８】
ステップＳ１２における試し再生の結果を視聴した利用者は、ステップＳ１３において、表示装置２１０における映像及び音声の表示及び出力結果の質が、満足の行くものであるか否かを判定する。この判定の結果が否定的であった場合（ステップＳ１３：Ｎ）、ステップＳ１６において、利用者は、操作入力ユニット１６０を利用して、新たな試し再生設定を行う。この新たな試し再生設定においては、新たな記録形式候補（例えば、ＳＰモード形式）を指定する。【００２９】
新たな指定内容は、新たな試し再生設定指令として、操作入力ユニット１６０から制御ユニット１１０へ送られる。新たな試し再生設定指令を受けた制御ユニット１１０は、上述したステップＳ１１の場合と同様にして、新たな試し再生設定指令で指定された記録形式による試し再生のための設定指令を、記録再生処理ユニットに対して行う。以後、ステップＳ１３において肯定的な判定がなされるまで、上記のステップＳ１２，Ｓ１３，Ｓ１６が繰り返される。【００３０】
ステップＳ１３における判定の結果が肯定的となると（ステップＳ１３：Ｙ）、ステップＳ１４において、利用者は、操作入力ユニット１６０を利用して、所望のチャンネル選択をする等した後、ＤＶＤ２３０への記録のための設定を行う。この記録のための設定に際しては、利用者は、記録をすべき旨及び記録形式を指定する。また、記録のための設定に際しては、利用者は、表示装置２１０における映像表示及び音声出力を、チューナユニット１２０から出力されるデータＶＤ１及び記録再生処理ユニット１３０から出力される再生用データＶＤ２のいずれに基づいて行うかの指定を行う。こうした指定内容は、記録設定指令として、操作入力ユニット１６０から制御ユニット１１０へ送られる。【００３１】
記録設定指令を受けた制御ユニット１１０は、記録設定指令で指定された記録形式を含むエンコーダ制御指令ＥＮＣをエンコーダユニット１３１へ通知する。また、制御ユニット１１０は、記録動作開始を開始すべきことをドライブ制御指令ＤＶＣを用いてＤＶＤドライブユニット１４０へ通知する。さらに、制御ユニット１１０は、記録設定指令で指定された種類のデータを選択して表示用信号ＶＳを生成すべきことを、選択指令ＳＣ１を用いて表示選択ユニット１５０へ通知する。【００３２】
以上の記録設定が終了すると、ステップＳ１５において、ＤＶＤ２３０への記録が行われる。すなわち、チューナユニット１２０から出力されたデータＶＤ１が、エンコーダユニット１３１において、記録設定定指令で指定された記録形式の記録用データＲＣＤに変換される。そして、記録用データＲＣＤが、ＤＶＤ２３０に順次記録される。なお、ＤＶＤ２３０への記録用データＲＣＤの記録が行われている間は、記録設定指令で指令されたデータに基づく映像及び音声が、表示装置２１０において、表示及び出力される。【００３３】
なお、ＤＶＤ２３０への記録の際における記録形式が分かっている場合には、上記のステップＳ１４及びＳ１５のみを行えばよい。【００３４】
また、ＤＶＤ２３０における記録内容を再生する場合には、利用者が、操作入力ユニット１６０を利用して、再生設定を行う。この再生設定に際しては、利用者は、再生である旨を指定する。こうした指定内容は、再生設定指令として、操作入力ユニット１６０から制御ユニット１１０へ送られる。【００３５】
再生設定指令を受けた制御ユニット１１０は、読取データＲＤＤを選択すべきことを、選択指令ＳＣ２を用いてスイッチ回路１３６へ通知する。また、制御ユニット１１０は、読取動作を開始すべきドライブ制御指令ＤＶＣをＤＶＤドライブユニット１４０へ通知する。さらに、制御ユニット１１０は再生用データＶＤ２を選択すべきことを、選択指令ＳＣ１を用いて表示選択ユニット１５０へ通知する。この結果、ＤＶＤ２３０における記録内容に応じた、映像及び音声が、表示装置２１０において、表示及び出力される。【００３６】
以上説明したように、本実施形態では、試し再生指令がなされると、チューナユニット１２０から出力されたデータＶＤ１が、エンコーダユニット１３１において、試し再生設定指令で指定された記録形式の記録用データＲＣＤに変換される。引き続き、スイッチ回路１３６を介した記録用データＲＣＤが、デコード回路１３７において、再生用データＶＤ２に変換される。そして、再生用データＶＤ２に基づく映像及び音声が、表示装置２１０において、表示及び出力される。【００３７】
このため、ＤＶＤ２３０への記録に先立って、ＤＶＤ２３０に記録された後に再生されたとしたならば得られる画質や音質の確認を、ＤＶＤ２３０に試しに記録することなく行うことができる。したがって、本実施形態によれば、利用者の利便性を向上することができる。【００３８】
［第２実施形態］
まず、本発明の第２実施形態について、図４〜図７を参照しつつ説明する。なお、本実施形態では、視聴覚情報記録装置として、アナログテレビ放送信号に含まれている視聴覚情報を記録するビデオテープレコーダ装置を例示して説明する。【００３９】
＜構成＞
図４には、本実施形態に係るビデオデープレコーダ装置１０５の概略的な構成が、ブロック図にて示されている。図４に示されるように、ビデオテープレコーダ装置１０５は、制御ユニット１１５と、チューナユニット１２５と、情報変換手段及び第１情報選択手段としての記録再生処理ユニット１７０とを備えている。また、ビデオテープレコーダ装置１０５は、記録媒体アクセス手段としてのテープドライブユニット１８０と、第２情報選択手段としての表示選択スイッチ１５５と、操作入力ユニット１６０とを備えている。【００４０】
制御ユニット１１５は、ビデオテープレコーダ装置１０５の全体を統括制御する。この制御ユニット１１５は、第１実施形態の制御ユニット１１０の場合と同様に、中央処理装置（ＣＰＵ：Central Processing Unit）、読出専用メモリ（ＲＯＭ：Read Only Memory）、ランダムアクセスメモリ（ＲＡＭ：Random Access Memory）等を備えて構成され、様々なプログラムが実行されるようになっている。【００４１】
チューナユニット１２５は、制御ユニット１１５による制御の下で、アンテナ２６０で受信されたアナログ放送信号ＡＢＳに含まれる特定のチャンネルの放送内容をアナログ信号ＶＳ１として出力する。このチューナユニット１２５は、制御ユニット１１５からのチューナ制御指令ＣＨＣに従って、特定のチャンネルを選択するようになっている。また、アナログ信号ＶＳ１は、そのままで表示装置２１０へ供給される表示用信号ＶＳとして使用可能な信号となっている。【００４２】
記録再生処理ユニット１７０は、制御ユニット１１５による制御の下で、テープドライブユニット１８０に装填されたビテオテープ２７０へのアクセスを行う。この記録再生処理ユニット１７０は、図５に示されるように、情報形式変換手段としてのエンコーダユニット１７１と、デコーダユニット１７５と、スイッチ回路１７６と、推定情報生成手段としての再生評価ユニット１７９とを備えている。【００４３】
エンコーダユニット１７１は、制御ユニット１１５からの記録形式の指定を含むエンコーダ制御指令ＥＮＣに従って、チューナユニット１２５からの信号ＶＳ１を、制御ユニット１１５により指定された記録形式に変換する。そして、エンコーダユニット１７１は、変換後の信号を、記録用信号ＲＣＳとして、テープドライブユニット１８０へ向けて出力する。なお、ビデオテープ２７０の記録形式としては、Ｓ−ＶＨＳモード及びＶＨＳモード、並びにそれぞれのモードにおける録画時間に対応する標準及び３倍という４種類の記録形式がある。【００４４】
デコーダユニット１７５は、制御ユニット１１５からのデコード制御指令ＤＣＣに従って、テープドライブユニット１８０によりビデオテープ２７０から読み取られた読取信号データＲＤＳを再生用形式のデータに変換する。そして、デコーダユニット１７５は、変換後の信号を、スイッチ回路１７６へ向けて出力する。なお、デコーダユニット１７５からの出力信号は、そのままで表示装置２１０へ供給される表示用信号ＶＳとして使用可能な信号となっている。【００４５】
スイッチ回路１７６は、ＦＥＴ（Field Effect Transistor）等のスイッチ素子を備えて構成されている。このスイッチ回路１７６は、制御ユニット１１５からの選択指令ＳＣ３に従って、デコーダユニット１７５からの信号、及び、再生評価ユニット１７９から出力された推定再生信号ＭＷＳのいずれか一方を、再生用信号ＶＳ２として表示選択スイッチ１５５へ送る。【００４６】
再生評価ユニット１７９は、制御ユニット１１５からの記録形式の指定を再生評価指令ＥＳＣに従って、チューナユニット１２５から出力された信号ＶＳ１を、推定再生信号ＭＷＳに変換する。ここで、推定再生信号ＭＷＳは、再生評価指令ＥＳＣで指定された記録形式でビデオテープ２７０に記録した後に読み取った場合における信号と推定される信号である。なお、推定再生信号ＭＷＳは、そのままで表示装置２１０へ供給される表示用信号ＶＳとして使用可能な信号となっている。【００４７】
再生評価ユニット１７９は、図６に示されるように、アナログデジタル変換器（Analogue to Digital Converter；以下、「ＡＤＣ」と呼ぶ）１９１と、模擬再生信号発生回路１９２と、デジタルアナログ変喚器（Digital to Analogue Converter；以下、「ＤＡＣ」と呼ぶ）１９３とを備えて構成されている。【００４８】
ＡＤＣ１９１は、チューナユニット１２５から出力された信号ＶＳ１をデジタル信号に変換する。そして、ＡＤＣ１９１は、変換されたデジタル信号を模擬再生信号発生回路１９２へ向けて出力する。【００４９】
模擬再生信号発生回路１９２は、制御ユニット１１５からの記録形式の指定を再生評価指令ＥＳＣに従って、ＡＤＣ１９１から受けたデジタル信号を加工して、推定再生信号ＭＷＳに対応するデジタル信号を発生する。ここで、加工は、記録形式や、記録形式の種類ごとにおけるビデオテープ２７０に記録したことに由来するヒステリシスノイズ等を反映させることにより行われる。なお、反映されるヒステリシスノイズ等は、事前における実験等の結果に基づいて定められる。模擬再生信号発生回路１９２は、発生したデジタル信号をＤＡＣ１９３へ向けて出力する。【００５０】
ＤＡＣ１９３は、模擬再生信号発生回路１９２から出力された信号をアナログ信号に変換する。そして、ＤＡＣ１９３は、変換されたアナログ信号を、推定再生信号ＭＷＳとして、スイッチ回路１７６へ向けて出力する。【００５１】
なお、上記のエンコーダ制御指令ＥＮＣ、選択指令ＳＣ２、再生評価指令ＥＳＣ及びデコード制御指令ＤＣＣを総称する場合には、「記録再生制御指令ＡＲＣ」と記すものとする（図４参照）。【００５２】
図４に戻り、テープドライブユニット１８０は、ビデオテープ２７０を装填及び抜去可能となっており、制御ユニット１１５による制御の下で、装填されたビデオテープ２７０へのデータの記録及び読み取りを行う。より具体的には、テープドライブユニット１８０は、制御ユニット１１５からのドライブ制御指令ＴＶＣにより記録することが指定されると、記録再生処理ユニット１７０からの記録用信号ＲＣＳに対応するデータをビデオテープ２７０に記録する。また、テープドライブユニット１８０は、制御ユニット１１５からのドライブ制御指令ＴＶＣにより記録データの読取が指定されると、ビデオテープ２７０からの読取結果を、読取信号ＲＤＳとして、記録再生処理ユニット１７０へ送る。【００５３】
表示選択スイッチ１５５は、制御ユニット１１５からの選択指令ＳＣ１に従って、チューナユニット１２５からの信号ＶＳ１、及び、記録再生処理ユニット１７０からの再生用信号ＶＳ２のいずれかを選択し、表示用信号ＶＳとして、表示装置２１０へ送る。【００５４】
＜動作＞
次に、上記のように構成されたビデオテープレコーダ装置１０５の動作を、アナログテレビ放送の内容のビデオテープ２７０への記録動作に主に着目して説明する。なお、前提として、ビデオテープ２７０は、テープドライブユニット１８０に装着されているものとする。また、表示選択スイッチ１５５においては、チューナユニット１２５からの信号ＶＳ１が選択されており、表示装置２１０には、信号ＶＳ１に基づく映像及び音声が、表示及び出力されているものとする。また、テープドライブユニット１８０は、記録動作も読取動作も行っていないものとする。【００５５】
アナログテレビ放送の内容のビデオテープ２７０への記録に際して、利用者が、再生画質の観点から、どのような記録形式でビデオテープ２７０へ記録すればよいか判断がつかない場合には、ステップＳ２１において、利用者が、操作入力ユニット１６０を利用して、試し再生設定を行う。この試し再生設定に際しては、利用者は、試し再生である旨及び記録形式候補（例えば、ＶＨＳ／３倍モード形式）を指定する。こうした指定内容は、試し再生設定指令として、操作入力ユニット１６０から制御ユニット１１５へ送られる。【００５６】
試し再生設定指令を受けた制御ユニット１１５は、試し再生設定指令で指定された記録形式を含む再生評価指令ＥＳＣを再生評価ユニット１７９へ通知する。また、制御ユニット１１５は、再生評価ユニット１７９からの推定再生信号ＭＷＳを選択すべきことを、選択指令ＳＣ３を用いてスイッチ回路１７６へ通知する。さらに、制御ユニット１１５は、再生用信号ＶＳ２を選択すべきことを、選択指令ＳＣ１を用いて表示選択スイッチ１５５へ通知する。【００５７】
以上の試し再生設定が終了すると、ステップＳ２２において、試し再生が行われる。すなわち、チューナユニット１２５から出力された信号ＶＳ１が、再生評価ユニット１７９において推定再生信号ＭＷＳに変換される。引き続き、スイッチ回路１７６を介した推定再生信号ＭＷＳが、再生用信号ＶＳ２として、表示選択スイッチ１５５へ送られる。そして、再生用データＶＤ２に基づく映像及び音声が、表示装置２１０において、表示及び出力される。【００５８】
ステップＳ２２における試し再生の結果を視聴した利用者は、ステップＳ２３において、表示装置２１０における映像及び音声の表示及び出力結果の質が、満足の行くものであるか否かを判定する。この判定の結果が否定的であった場合（ステップＳ２３：Ｎ）、ステップＳ２６において、利用者は、操作入力ユニット１６０を利用して、新たな試し再生設定を行う。この新たな試し再生設定においては、新たな記録形式候補（例えば、ＶＨＳ／標準モード形式）を指定する。【００５９】
新たな指定内容は、新たな試し再生設定指令として、操作入力ユニット１６０から制御ユニット１１５へ送られる。新たな試し再生設定指令を受けた制御ユニット１１５は、上述したステップＳ２１の場合と同様にして、新たな試し再生設定指令で指定された記録形式による試し再生のための設定指令を、記録再生処理ユニット１７０に対して行う。以後、ステップＳ２３において肯定的な判定がなされるまで、上記のステップＳ２２，Ｓ２３，Ｓ２６が繰り返される。【００６０】
ステップＳ２３における判定の結果が肯定的となると（ステップＳ２３：Ｙ）、ステップＳ２４において、利用者は、操作入力ユニット１６０を利用して、所望のチャンネル選択をする等した後、ビデオテープ２７０への記録のための設定を行う。この記録のための設定に際しては、利用者は、記録をすべき旨及び記録形式を指定する。また、記録のための設定に際しては、利用者は、表示装置２１０における映像表示及び音声出力を、チューナユニット１２５から出力される信号ＶＳ１及び記録再生処理ユニット１７０から出力される再生用データＶＳ２のいずれに基づいて行うかの指定を行う。こうした指定内容は、記録設定指令ＯＳＩとして、操作入力ユニット１６０から制御ユニット１１５へ送られる。なお、指定された記録形式によっては、ビデオテープ２７０を当該記録形式にあったものに入れ替えるための動作を発生させる。【００６１】
記録設定指令を受けた制御ユニット１１５は、記録設定指令で指定された記録形式を含むエンコーダ制御指令ＥＮＣをエンコーダユニット１７１へ通知する。また、制御ユニット１１５は、記録動作開始を開始すべき旨を、ドライブ制御指令ＴＶＣを利用してテープドライブユニット１８０へ通知する。さらに、制御ユニット１１５は、記録設定指令で指定された種類のデータを選択して表示用信号ＶＳを出力すべきことを、選択指令ＳＣ１を用いて表示選択スイッチ１５５へ通知する。【００６２】
以上の記録設定が終了すると、ステップＳ２５において、ビデオテープ２７０への記録が行われる。すなわち、チューナユニット１２５から出力された信号ＶＳ１が、エンコーダユニット１７１において、記録設定定指令で指定された記録形式の記録用信号ＲＣＳに変換される。そして、記録用信号ＲＣＳに対応するデータがビデオテープ２７０に順次記録される。なお、ビデオテープ２７０への記録が行われている間には、記録設定指令で指令された信号に基づく映像及び音声が、表示装置２１０において、表示及び出力される。【００６３】
以上説明したように、本実施形態では、試し再生指令がなされると、チューナユニット１２５から出力された信号ＶＳ１が、再生評価ユニット１７９において推定再生用信号ＭＷＳに変換される。引き続き、スイッチ回路１７６を介した推定再生信号ＭＷＳが、再生用信号ＶＳ２として、表示選択スイッチ１５５へ送られる。そして、再生用データＶＤ２に基づく映像及び音声が、表示装置２１０において、表示及び出力される。【００６４】
このため、ビデオテープ２７０への記録に先立って、ビデオテープ２７０に記録された後に再生されたとしたならば得られる画質や音質の確認を、ビデオテープ２７０に試しに記録することなく行うことができる。したがって、本実施形態によれば、利用者の利便性を向上することができる。【００６５】
［実施形態の変形］
本発明は、上記の実施形態に限定されるものではなく、様々な変形が可能である。【００６６】
例えば、上記の第１及び第２実施形態では、アンテナ２２０又は２６０でテレビ放送波を受信する場合について説明したが、ＣＡＴＶ局から配信される放送信号を受信するようにすることもできる。【００６７】
また、上記の第１及び第２実施形態では、映像情報及び音声情報を含むテレビ放送波を受信するようにしたが、映像情報のみ又は音声情報のみを含む放送波を受信するようにすることもできる。【００６８】
また、上記の第１及び第２実施形態では、レコーダ装置１００，１０５にチューナユニット１２０又は１２５を備えるようにしたが、チューナユニットをレコーダ装置の外部に配置することもできる。【００６９】
また、記録媒体は、上記の第１及び第２実施形態におけるＤＶＤやビデオテープに限られるものではなく、任意のものを採用することができる。
【図１】
2007080778.tif 000003
【図２】
2007080778.tif 000004
【図３】
2007080778.tif 000005
【図４】
2007080778.tif 000006
【図５】
2007080778.tif 000007
【図６】
2007080778.tif 000008
【図７】
2007080778.tif 000009
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
取得された視聴覚情報を、記録媒体に記録すべき記録形式を有する記録用視聴覚情報に変換するとともに、前記記録媒体から読み出された前記記録用視聴覚情報から生成された再生用視聴覚情報と推定される推定再生用視聴覚情報に変換する情報変換手段と；
前記記録用視聴覚情報を記録媒体に記録するとともに、前記記録媒体から前記記録用視聴覚情報を読み出す記録媒体アクセス手段と；
前記再生用視聴覚情報及び前記推定再生用視聴覚情報のいずれか一方を選択的に視聴覚再生装置へ向けて出力する第１情報選択手段と；を備え、
前記取得された視聴覚情報、前記記録用視聴覚情報及び前記再生用視聴覚情報はアナログ形式情報であり、
前記推定再生用視聴覚情報は、予め評価された前記記録媒体への記録に由来する前記再生用視聴覚情報における質の劣化が反映される、
ことを特徴とする視聴覚情報記録装置。
【請求項２】
前記情報変換手段は、
前記取得された視聴覚情報を前記記録用視聴覚情報に変換する情報形式変換手段と；
前記取得された視聴覚情報から前記推定再生用視聴覚情報を生成する推定情報生成手段と；を備えることを特徴とする請求項１に記載の視聴覚情報記録装置。
【請求項３】
前記第１情報選択手段により選択された情報及び前記取得された視聴覚情報のいずれか一方を選択的に視聴覚再生装置へ向けて出力する第２情報選択手段を更に備える、ことを特徴とする請求項１又は２に記載の視聴覚情報記録装置。
【請求項４】
取得された視聴覚情報を記録媒体に記録すべき記録形式を有する記録用視聴覚情報に変換して前記記録媒体に記録した後に、前記記録媒体から読み出された前記記録用視聴覚情報から生成される再生用視聴覚情報と推定される推定再生用視聴覚情報に前記取得された視聴覚情報を変換する推定情報変換工程と；
前記推定再生用視聴覚情報を視聴覚再生装置に供給して再生する試再生工程と；
前記試再生工程における再生の結果に基づいて前記記録形式で前記記録媒体に記録すべき指令がなされた場合に、その後に取得された視聴覚情報を前記記録形式で前記記録媒体に記録する記録工程と；を備え、
前記取得された視聴覚情報、前記記録用視聴覚情報及び前記再生用視聴覚情報はアナログ形式情報であり、
前記推定再生用視聴覚情報は、予め評価された前記記録媒体への記録に由来する前記再生用視聴覚情報における質の劣化が反映される、
ことを特徴とする視聴覚情報記録方法。
【手続補正２】
【補正対象書類名】明細書
【補正対象項目名】０００９
【補正方法】変更
【補正の内容】
【０００９】
本発明は、第１の観点からすると、取得された視聴覚情報を、記録媒体に記録すべき記録形式を有する記録用視聴覚情報に変換するとともに、前記記録媒体から読み出された前記記録用視聴覚情報から生成された再生用視聴覚情報と同等と推定される推定再生用視聴覚情報に変換する情報変換手段と；前記記録用視聴覚情報を記録媒体に記録するとともに、前記記録媒体から変換視聴覚情報を読み出す記録媒体アクセス手段と；前記再生用視聴覚情報及び前記推定再生用視聴覚情報のいずれか一方を選択的に視聴覚再生装置へ向けて出力する第１情報選択手段と；を備え、前記取得された視聴覚情報、前記記録用視聴覚情報及び前記再生用視聴覚情報はアナログ形式情報であり、前記推定再生用視聴覚情報は、予め評価された前記記録媒体への記録に由来する前記再生用視聴覚情報における質の劣化が反映される、ことを特徴とする視聴覚情報記録装置である。
【手続補正３】
【補正対象書類名】明細書
【補正対象項目名】００１０
【補正方法】変更
【補正の内容】
【００１０】
本発明は、第２の観点からすると、取得された視聴覚情報を記録媒体に記録すべき記録形式を有する記録用視聴覚情報に変換して前記記録媒体に記録した後に、前記記録媒体から読み出された前記記録用視聴覚情報から生成される再生用視聴覚情報と推定される推定再生用視聴覚情報に前記取得された視聴覚情報を変換する推定情報変換工程と；前記推定再生用視聴覚情報を視聴覚再生装置に供給して再生する試再生工程と；前記試再生工程における再生の結果に基づいて前記記録形式で前記記録媒体に記録すべき指令がなされた場合に、その後に取得された視聴覚情報を前記記録形式で前記記録媒体に記録する記録工程と；を備え、前記取得された視聴覚情報、前記記録用視聴覚情報及び前記再生用視聴覚情報はアナログ形式情報であり、前記推定再生用視聴覚情報は、予め評価された前記記録媒体への記録に由来する前記再生用視聴覚情報における質の劣化が反映される、ことを特徴とする視聴覚情報記録方法である。
【国際調査報告】
2007080778.tif 000010
2007080778.tif 000011
2007080778.tif 000012
2007080778.tif 000013